(57)【要約】【課題】使用者に不快感を起こさせない滑り止め加工を容易に施すことができる滑り止め加工用キットを提供する。【解決手段】それぞれ内径が異なる複数個のシリコンチューブ３２、３３と、シリコンチューブ３２、３３を軟化および膨張させる揮発性溶液が充填された容器３４をセットにしてケース３６に収納した。加工対象の大きさに応じてシリコンチューブ３２、３３を選択し、適当な長さに切断した後に容器３４に揮発性溶液に浸し、軟化および膨張させてから加工対象に装着する。【選択図】図２
0003152078.tif 000002
【実用新案登録請求の範囲】
【請求項１】
それぞれ内径が異なる複数個のシリコンチューブと、前記シリコンチューブを軟化および膨張させる揮発性溶液が充填された容器とを含むことを特徴とする滑り止め加工用キット。
【請求項２】
前記容器が、前記揮発性溶液を充填するボトルと、前記ボトルを密閉するキャップとで構成され、前記キャップの内側に先端の一部が折り返されたピンが装着されていることを特徴とする請求項１に記載の滑り止め加工用キット。
【考案の詳細な説明】
【技術分野】
【０００１】
本考案は、人体と接触する部材に滑り止め加工を施す滑り止め加工用キットに関する。
【背景技術】
【０００２】
眼鏡は人間の視覚を正常に機能させるための視覚補助具であり、耳と鼻を接点として頭部に装着して使用するものである。眼鏡全体の重量のうちレンズが占める割合は最も高く、眼鏡を正しく装着していたとしても時間の経過とともにレンズの位置は下がる傾向にある。このことがいわゆる眼鏡のずれ落ちとして不快な装着感をもたらすとともに、視覚補助具としての眼鏡本来の機能を損ねる原因となっていた。
【０００３】
眼鏡のずれ落ちは、眼鏡の耳に掛ける部分（モダン）が耳の周りの皮膚に対して滑ることが発生原因の一つであることから、モダンを滑りにくくするためにゴムチューブを装着し、皮膚との密着性を高めることで眼鏡のずれ落ちを防止する技術が知られている。
【先行技術文献】
【特許文献】
【０００４】
【特許文献１】特開２０００−１１１８５０号公報
【考案の概要】
【考案が解決しようとする課題】
【０００５】
モダンに装着されたゴムチューブは、モダンに密着していなければ滑り止めとしての効果を生じない。そのためゴムチューブは、その中空部の断面積がモダンの断面積より小さいものを用いることになるが、このようなゴムチューブをモダンに装着するときには相当な摩擦力が働くため装着は容易ではない。短いゴムチューブを用いれば摩擦力を低減させることはできるが、今度はゴムチューブの角が耳の周りの皮膚に触れることになり、新たな不快感を生じることになる。
【０００６】
本考案は、使用者に不快感を起こさせない滑り止め加工を容易に施工することができる滑り止め加工用キットを提供することを目的とする。
【課題を解決するための手段】
【０００７】
請求項１の滑り止め加工用キットは、それぞれ内径が異なる複数個のシリコンチューブと、前記シリコンチューブを軟化および膨張させる揮発性溶液が充填された容器とを含むことを特徴とするものである。シリコンチューブは柔軟性に優れ、皮膚への馴染みが大変良いため、滑り止めには最適な素材である。シリコンチューブはアルコール系の揮発性溶液に浸すと軟化し、さらに膨張するため、加工対象に容易に装着することができるようになる。揮発性溶液が揮発するとシリコンチューブは装着前の状態に戻り、加工対象に密着する。シリコンチューブは内径が異なる複数の中から加工対象の大きさに対応したものを自由に選択して使用する。
【０００８】
請求項２の滑り止め加工用キットは、前記容器が、前記揮発性溶液を充填するボトルと、前記ボトルを密閉するキャップとで構成され、前記キャップの内側に先端の一部が折り返されたピンが装着されていることを特徴とするものである。ピンにシリコンチューブを引っ掛けた状態でキャップを閉めると、シリコンチューブはボトル中の揮発性溶液に浸される。シリコンチューブを揮発性溶液から取り出すときにはキャップを開けるだけでよい。シリコンチューブを揮発性溶液に浸している間、キャップは必ず閉められた状態となり、キャップの閉め忘れによって揮発性溶液を無駄に揮発させることがなくなる。
【考案の効果】
【０００９】
本考案の滑り止め加工用キットによれば様々な大きさの加工対象に滑り止め加工を容易に施工することができる。
【図面の簡単な説明】
【００１０】
【図１】眼鏡の斜視図
【図２】滑り止め加工用キットの斜視図
【図３】容器の側面図
【図４】滑り止め加工用キットの使用方法の説明図
【考案を実施するための形態】
【００１１】
図１に一般的な眼鏡の構造を示す。眼鏡１０は、左右一組のレンズ１２と、レンズ１２の縁を囲むリム１４と、左右のリム１４を連結するブリッジ１６と、左右のリム１４にそれぞれ連結されたテンプル１８とで構成されている。左右のリム１４には鼻を両脇から挟むパッド２０が装着されている。テンプル１８の先端にはモダン２２が形成されている。モダン２２は、パッド２０とともに眼鏡１０を支える重要な部分であり、また、眼鏡１０の掛け心地の良し悪しを決定する部分でもある。左右のモダン２２の間の距離は、顔の両耳部分の幅より若干狭くなっており、眼鏡１０を掛けたときにモダン２２が皮膚に密着して眼鏡１０の荷重を支えるようになっている。そのため、モダン２２は皮膚への圧力を分散するために扁平な形状になっていることが多く、また、眼鏡１０の位置を固定するために耳の後ろ側まで掛かるような湾曲した形状になっていることが多い。
【００１２】
図２に滑り止め加工用キットの内容を示す。滑り止め加工用キット３０は、シリコンチューブ３２、３３と容器３４をセットにしてケース３６に収納したものである。眼鏡１０に滑り止め加工を施すときには、上蓋３７を開き、シリコンチューブ３２と容器３４をケース３６から取り出す。シリコンチューブ３２は内径が１ｍｍ、１．５ｍｍ、２ｍｍ、２．５ｍｍ、３ｍｍのシリコンチューブであり、シリコンチューブ３３は内径が４ｍｍのシリコンチューブである。シリコンチューブ３２は、それぞれ約１ｍの長さのものが何重にも巻かれた状態でケース３６の上段に収納されている。シリコンチューブ３３は、ケース３６の奥行きに合わせた長さに切断された状態でケース３６の下段に収納されている。シリコンチューブ３２、３３は耳の周りの敏感な部分に長時間触れることになるので、人体に対する安全性が高い医療用のものを用いている。
【００１３】
容器３４には、アルコール系溶液に若干の芳香剤を添加した揮発性溶液が充填されている。アルコールにはシリコンチューブ３２を軟化、膨化させる作用がある。アルコールは揮発性溶液であるため、アルコールに浸されたシリコンチューブ３２は、一旦は軟化、膨化しても、時間の経過とともにアルコールが揮発すると元の状態に戻る。添加された芳香剤にはシリコンチューブ３２に残るアルコール臭をマスキングする作用がある。
【００１４】
図３に容器３４の構造を示す。容器３４は、揮発性溶液３５が充填されたボトル３８と、ボトル３８を開閉するキャップ４０で構成されている。キャップ４０の内側には、先端の一部が折り返されたピン４２が装着されている。アルコール系溶液を主成分とする揮発性溶液３５は特に夏場において揮発しやすくなるため、ボトル３８は気密性の高いガラス製のビンを用いる。ピン４２は適当な長さに切断されたシリコンチューブ３２を引っ掛けておくために用いられる。
【００１５】
図４に滑り止め加工用キット３０の使用方法を示す。まず滑り止め加工用キット３０に含まれる複数個のシリコンチューブの中から加工対象の大きさに対応した内径のシリコンチューブ３２を選択する。加工対象が眼鏡１０であれば、中空部の断面積がモダン２２の最も細い部分の断面積より小さいシリコンチューブ３２を選択する必要がある。
【００１６】
選択したシリコンチューブ３２は適当な長さに切断する。シリコンチューブ３２は手持ちのはさみやカッターナイフ等で容易に切断することができる。シリコンチューブ３２は眼鏡装着時の不快感を軽減するため、シリコンチューブ３２の端部が皮膚に直接触れることのない程度の長さに切断することが望ましい。
【００１７】
切断したシリコンチューブ３２は、ボトル３８から外したキャップ４０のピン４２に引っ掛け、キャップ４０を閉めて揮発性溶液３５に浸す。シリコンチューブ３２の内径の大きさに応じて５〜１５分が経過したら、シリコンチューブ３２を揮発性溶液３５から取り出す。シリコンチューブ３２はピン４２に引っ掛けられているので、ボトル３８からキャップ４０を外すだけで容易に取り出すことができる。取り出したシリコンチューブ３２はピン４２から取り外し、モダン２２に装着する。揮発性溶液３５に浸されたシリコンチューブ３２は軟化し、膨張しているため、さほどの技術や力を要することなく容易にモダン２２に装着することができる。
【００１８】
シリコンチューブ３２を装着したら、眼鏡１０を風通しの良い場所に１５分程度保管し、揮発性溶液３５に含まれるアルコール系溶液を完全に揮発させる。アルコール系溶液が揮発すると、軟化、膨張していたシリコンチューブ３２が装着前の元の状態まで硬化、縮小し、モダン２２に密着する。シリコンチューブ３２に残るアルコール臭は、揮発性溶液３５に含まれる芳香剤によって気にならない程度にまでマスキングされる。
【００１９】
シリコンチューブ３２は摩擦係数が大きく滑り止め効果が高いため、モダン２２にシリコンチューブ３２が装着された眼鏡１０はずれ落ちにくくなる。また、シリコンチューブ３２はその弾力性や柔軟性によって耳の周りの皮膚に良くなじむため、眼鏡１０の装着感を向上させる効果がある。シリコンチューブ３２は無色透明であり、モダン２２のデザイン性を損なうことはなく、また装着していることを他人に気付かれることもほとんどない。シリコンチューブ３２を定期的に交換することで、汗や皮脂で汚れやすいモダン部分を常に清潔な状態に保つことができる。さらに、金属アレルギー症状のある方に対しては金属部分をシリコンチューブ３２で覆うこともできる。
【００２０】
滑り止め加工用キット３０は、ずれ落ちを防止するための滑り止め加工を眼鏡１０の容易に施すことができるものであるが、加工対象は眼鏡１０に限らず、例えば耳掛け式の補聴器やイヤホンなどの視聴覚機器にも容易に滑り止め加工を施すことができる。また、筆記具の指先が触れる部分にシリコンチューブ３２を装着することで、筆記具の滑り止め効果だけでなく使用感も向上させることも可能である。
【符号の説明】
【００２１】
１０  眼鏡
２２  モダン
３０  滑り止め加工用キット
３２、３３  シリコンチューブ
３４  容器
３５  揮発性溶液
３８  ボトル
４０  キャップ
４２  ピン
【図１】
0003152078.tif 000003
【図２】
0003152078.tif 000004
【図３】
0003152078.tif 000005
【図４】
0003152078.tif 000006